(57)【要約】    【課題】簡易に取り付けられるロールスクリーンの固定構造とする。    【解決手段】ロールスクリーン１の巻取軸を回動自在に支持する両側ブラケット２を有する枠体の取付面３に簡易固着部材である磁性粉を含有する合成樹脂の磁石板または面ファスナーを配置し、この面に対向するロールスクリーンを固定する設置面に磁性物質または面ファスナーである係合部材が配置され、ロールスクリーンの前記取付面３を前記設置面４に当接または圧接することによってロールスクリーンを所望箇所に固定するロールスクリーンの固定構造の構成である。【選択図】      図１
0003117737.tif 000002
【実用新案登録請求の範囲】
【請求項１】
ロールスクリーンの巻取軸を回動自在に支持する両側ブラケットを有する枠体の取付面に簡易固着部材を配置し、この面に対向するロールスクリーンを固定する設置面に前記簡易固着部材と強力に係着する係合部材が配置され、ロールスクリーンの前記取付面を前記設置面に当接または圧接することによってロールスクリーンを所望箇所に固定することを特徴とするロールスクリーンの固定構造。
【請求項２】
ロールスクリーンの巻取軸を回動自在に支持する両側ブラケットを有する枠体の取付面に、前記簡易固着部材として磁石板を配置し、この面に対向するロールスクリーンを固定する設置面に係合部材として前記磁石に吸着する物質が配置され、ロールスクリーンの前記取付面を前記設置面に当接することによりロールスクリーンを所望箇所に固定することを特徴とするロールスクリーンの固定構造。
【請求項３】
ロールスクリーンの巻取軸を回動自在に支持する両側ブラケットを有する枠体の取付面に、前記簡易固着部材として面ファスナーを配置し、この面に対向するロールスクリーンを固定する設置面に係合部材として固着用の面ファスナーを配置し、ロールスクリーンの前記取付面を前記設置面に圧接することによりロールスクリーンを所望箇所に固定することを特徴とするロールスクリーンの固定構造。
【請求項４】
窓枠に配設された取付レールに摺動自在に嵌合した固着部材の背面に前記設置面が取付形成されていることを特徴とする請求項１乃至請求項３に記載のいずれか１つのロールスクリーンの固定構造。
【考案の詳細な説明】
【技術分野】
【０００１】
本考案は、窓枠や部屋の仕切りなどに使用する日除け、または目隠しなどに使用するロールスクリーンの簡易に取り付けられるロールスクリーンの固定構造に関する。
【背景技術】
【０００２】
古くから窓枠などに設置して日除けや目隠しに布地などで製造されたスクリーンが使用されている。これらは家屋の建築の際に窓枠に固着部材を埋設するか、サッシ枠に取り付け可能なような加工が施され、螺子やビスなどで取り付けるもので、素人が家庭で簡易に取り付けられるものでなかった。
掲示板などを取り付けるに当たり、黒板などに磁石を使用するのは一般的に知られている。また、面ファスナーを使用して掲示板を設置することも特許文献１にあるように知られている。また、面ファスナーを使用してカーテンを取り付けるためにレール内に面ファスナー埋設するものも知られている（特許文献２）。更に、部屋の仕切りなどに使用するカーテンを固着するのに面ファスナーを使用することは知られている。例えば、特許文献３のようにヘッドレールの表面に面ファスナーを配置し、他方、カーテンの上端縁に面ファスナーを取り付けて両面ファスナーを接合させることによりカーテンを取り付けている。
【０００３】
【特許文献１】特開平０９−１４２０７１号公報
【特許文献２】特許第３５０５０９０号公報
【特許文献３】実用新案登録第３０２１４２０号公報第１頁
【考案の開示】
【考案が解決しようとする課題】
【０００４】
従来は日除け用のカーテンなどの布地の上端面などに面ファスナーを取り付け、接着面に直接取り付けていたので、カーテンを昇降させることはできなかった。  カーテンなどを取り付けるのに面ファスナーを使用したものは知られているが上下に昇降させることは出来なかった。また、ロールスクリーン等枠体の重量物を壁面などに固着するのに磁石を使用するものは知られていない。
【０００５】
本考案はこれら従来の問題点を改善したもので、カーテンなどと異なり仕切りなどにも簡易に取り付けられるロールスクリーンの固定構造を提供するものである。
本考案の課題は、家屋などの建築後でも、必要とする希望する場所に簡易に取り付けられる軽量なロールスクリーンの固定構造を提供することである。
本考案の他の課題は、一回動作でロールスクリーンを設置できるロールスクリーンの固定構造を提供することである。
【課題を解決するための手段】
【０００６】
本考案は、上記課題を解決するため、ロールスクリーンの巻取軸を回動自在に支持する両側ブラケットを有する枠体の取付面に簡易固着部材を配置し、この面に対向するロールスクリーンを固定する設置面に前記簡易固着部材と強力に係着する係合部材が配置され、ロールスクリーンの前記取付面を前記設置面に当接または圧接することによってロールスクリーンを所望箇所に固定するロールスクリーンの固定構造の構成である。
【０００７】
本考案の課題は、ロールスクリーンの巻取軸を回動自在に支持する両側ブラケットを有する枠体の取付面に、前記簡易固着部材として磁石板を配置し、この面に対向するロールスクリーンを固定する設置面に係合部材として前記磁石に吸着する物質が配置され、ロールスクリーンの前記取付面を前記設置面に当接することによりロールスクリーンを所望箇所に固定するロールスクリーンの固定構造の構成によって達成できる。
【０００８】
また、前記課題は、ロールスクリーンの巻取軸を回動自在に支持する両側ブラケットを有する枠体の取付面に、前記簡易固着部材として面ファスナー（ベルクロス）を配置し、この面に対向するロールスクリーンを固定する設置面に係合部材として固着用の面ファスナーを配置し、ロールスクリーンの前記取付面を対向する前記設置面に圧接することによりロールスクリーンを所望箇所に固定するロールスクリーンの固定構造の構成によって達成できる。
【０００９】
本考案のロールスクリーンの固定構造に使用する簡易固着部材としては合成樹脂などのバインダーに永久磁石の粉末を分散してある磁石板、ゴムや発泡性樹脂に永久磁石を分散した磁石板が用いられる。特に、この磁石板を厚みを薄くし、薄板に形成してある磁石板を磁極が交互に配置されるように所定の厚さに積層したものは接着力が強力である。
【００１０】
他の簡易固着部材として通称面ファスナーと云われているかぎ状の繊維が配列されている雌雄の面ファスナーをロールスクリーンの取付面や壁面などの設置面に固着することによって容易にロールスクリーンを所望の箇所に取付けられる。
本考案に使用するロールスクリーン、巻取軸などの部材は合成樹脂などの軽量物質で形成されており、取り付け枠などのブラケットも軽量の合成樹脂で形成されているから、全体が前記簡易固着部材によって支障なく確実に保持することができる。
【考案の効果】
【００１１】
本考案のロールスクリーンの固定構造は、磁性物質を含有する設置面（壁面や支柱面）に、スクリーンを周回した巻取軸を軸装したブラケットを備えた枠体の取付面に永久磁石などの磁石板を配置してあるから壁面などの鉄などの磁性物質を有する設置面に接触させることにより容易にロールスクリーンを固定することができる。従って、誰でも簡易に窓枠や仕切り枠にロールスクリーンを設置することができる。
ロールスクリーンであるから壁面などに固定したスクリーンを引き出して下降させて必要なときのみ容易に目隠しができる。
【００１２】
また、面ファスナーを配置してある場合は、ロールスクリーンの取付面に雌ファスナーを取付け、設置面に雄ファスナーを配置して両者を結合することにより容易にロールスクリーンを設置することができる。
【考案を実施するための最良の形態】
【００１３】
本考案に係るロールスクリーンの固定構造を実施するための最良の形態を図面に基づいて説明する。
図１は本考案のロールスクリーンの固定構造の実施形態を示すロールスクリーンの斜視図、図２は図１の一部省略した裏面図である。図３は図１の側面図である。図４は本考案のロールスクリーンの固定構造に使用する固着部材の実施形態の裏面図である。図５は図４の斜視図である。図６は図４の側面図である。図７は本考案の固着部材の他の実施形態の斜視図である。図８は本考案の固着部材のカーテンレールとロールスクリーンとの関係を示す説明図である。図９は図８の固着部材の磁石に代え面ファスナーを使用した固着部材の説明図である。図１０は本考案ロールスクリーンの固定構造を使用した取り付けた状態を示す実施形態の説明図である。
【００１４】
本考案は、図１に示すように、ロールスクリーン１の合成樹脂物質で製造された巻取軸の両端を嵌装した左右の軽量なブラケット２ａ，２ｂの枠体２の取付面に簡易固着部材である磁石板３が貼り付けてある。この磁石板３は合成樹脂バインダーに永久磁石の粉末を分散したものである。また、厚さの薄い磁石シートを数枚の磁極を重ね、極性を交互に逆にして積層した磁石板である。
【００１５】
また、図４、図５、図６に示すものは壁面に螺子などで取り付けたカーテンレール８や取付板に摺動自在に嵌着する固着部材５を示すもので、このカーテンレール８に嵌着した表面に固定した金属環６ａ内に簡易固着部材である永久磁石を埋設する。図面では金属の凹部内に永久磁石６が嵌め込んである。図７はこの永久磁石６を備えた金属環６ａに代えて面ファスナー７を両面テープなどで固着部材５の表面に貼り付けた実施形態を示す。
【００１６】
このように構成されているロールスクリーン１は軽量の合成樹脂で巻取軸芯、内部部品が製造されている。従って、磁石板３を鉄板などの磁性物質で形成されている設置面４に当接するだけでロールスクリーン１を所定の場所に設置することができる。設置面４が鉄やニッケルなどの磁性物質の合金で形成されている場所ならどこでも容易にロールスクリーン１を設置することができる。
【００１７】
また、壁面などの設置する場所に１０〜２０ｍｍ幅の裏面に剥離紙を貼り付けた面ファスナーテープの剥離紙を剥して面ファスナー７を固着する。
この面ファスナー７にロールスクリーン１の裏面に、先の実施形態の簡易固着部材である磁石板３に代えて貼り付けた面ファスナー７を圧接することによりロールスクリーン1を固着することができる。
これらロールスクリーン１のスクリーンを下降させて引き出し、容易に目隠しが出来る。
【００１８】
また、他の実施形態として図４〜図６に示される簡易取付部財である固着部材５について説明すると、この固着部材５の背面に螺子を使用して固定した磁石６を固定する。この固着部材５は壁面などに固着した取り付けレールに嵌装することによって複数の固着部材５が設置できる（図８参照）。この磁石６に代えて面ファスナー７を接着したものを図７に示す。この固着部材５の場合は図９で示されるように数箇所に設置面４を形成する（図９参照）。
このように固着部材５が配置してある場所にロールスクリーン１を磁石６の場合は当接し、面ファスナー７の場合は圧接して固着する。
【００１９】
このような固着部材５はカーテンレール８などの溝内に簡易に複数嵌合できる。この固着部材５の接合面にロールスクリーンのブラケットを接着して図１０に示すようにロールスクリーンを設置できる。
【図面の簡単な説明】
【００２０】
【図１】本考案のロールスクリーンの固定構造の実施形態を示すロールスクリーンの斜視図である。
【図２】図１の一部省略した裏面図である。
【図３】図１の側面図である。
【図４】本考案のロールスクリーンの固定構造に使用する固着部材の実施形態の裏面図である。
【図５】図４の斜視図である。
【図６】図６は図４の側面図である。
【図７】本考案の固着部材の他の実施形態の斜視図である。
【図８】本考案の固着部材のカーテンレールとロールスクリーンとの関係を示す説明図である。
【図９】図８の固着部材の磁石に代え面ファスナーを使用した固着部材の説明図である。
【図１０】本考案ロールスクリーンの固定構造を使用した取り付けた状態を示す実施形態の説明図である。
【符号の説明】
【００２１】
１      ロールスクリーン
２      ブラケット
３      磁石
４      設置面
５      固着部材
６      磁石
７      面ファスナー
８      取付レール
９      壁面
１０    スクリーン
【図１】
0003117737.tif 000003
【図２】
0003117737.tif 000004
【図３】
0003117737.tif 000005
【図４】
0003117737.tif 000006
【図５】
0003117737.tif 000007
【図６】
0003117737.tif 000008
【図７】
0003117737.tif 000009
【図８】
0003117737.tif 000010
【図９】
0003117737.tif 000011
【図１０】
0003117737.tif 000012